(57)【要約】【課題】ＭＳＰＰ装置の機能とＷＤＭ装置の機能とを一元的に提供する伝送装置について、その実装態様の柔軟性を確保する。【解決手段】本発明の実施の１形態である統合伝送装置１６は、ＷＤＭネットワーク１０から受信されたＷＤＭ信号におけるＯＳＣ信号を処理する複数のＯＳＣ処理部３２と、ＳＤＨフレームの経路制御を実行するスイッチ部３０とを備える。あるＯＳＣ処理部３２は、ＯＳＣ信号が示す波長情報を含むＳＤＨフレームをスイッチ部３０へ送出する。別のＯＳＣ処理部３２は、波長情報を含むＳＤＨフレームをスイッチ部３０から取得し、その波長情報に基づいて、送出されるＷＤＭ信号に付加されるべきＯＳＣ信号を設定する。【選択図】図５
2011019121.tif 000002
【特許請求の範囲】
【請求項１】
所定のＳＤＨフレームを互いに送受する複数のＳＤＨ伝送部と、
あるＳＤＨ伝送部から送出されたＳＤＨフレームを別のＳＤＨ伝送部へ受け渡すスイッチ部と、
ＷＤＭネットワークから光信号を受信するＷＤＭ受信部と、
受信された光信号に付加されたＯＳＣ信号を処理する受信側ＯＳＣ処理部と、
ＷＤＭネットワークへ光信号を送出するＷＤＭ送出部と、
送出される光信号に付加されるべきＯＳＣ信号を設定する送出側ＯＳＣ処理部と、
を備え、
前記受信側ＯＳＣ処理部は、ＯＳＣ信号が示す波長情報を含むＳＤＨフレームを前記スイッチ部へ送出し、
前記送出側ＯＳＣ処理部は、前記波長情報を含むＳＤＨフレームを前記スイッチ部から受け付け、前記波長情報に基づいてＯＳＣ信号を設定することを特徴とする伝送装置。
【請求項２】
前記ＷＤＭ送出部と前記ＷＤＭ受信部とは、前記ＯＳＣ信号をＳＤＨフレームフォーマットで送受し、
当該伝送装置は、前記ＷＤＭネットワークから受信されたＯＳＣ信号に設定されたオーバーヘッドバイトに基づいて、ＳＤＨ伝送方式にて提供されるサービスを、前記ＷＤＭネットワークを跨って提供することを特徴とする請求項１に記載の伝送装置。
【請求項３】
前記送出側ＯＳＣ処理部は、前記ＷＤＭネットワークへ送出されるＯＳＣ信号におけるパスオーバーヘッドのＪ１バイトを設定し、
前記受信側ＯＳＣ処理部は、前記ＷＤＭネットワークを跨った導通確認のために、前記ＷＤＭネットワークから受信されたＯＳＣ信号のＪ１バイトの情報を外部へ出力することを特徴とする請求項２に記載の伝送装置。
【請求項４】
前記受信側ＯＳＣ処理部は、前記ＷＤＭネットワークを跨った伝送品質管理のために、前記ＷＤＭネットワークから受信されたＯＳＣ信号におけるパスオーバーヘッドのＢ３バイトの情報を外部へ出力することを特徴とする請求項２に記載の伝送装置。
【請求項５】
前記送出側ＯＳＣ処理部は、前記ＷＤＭネットワークへ送出されるＯＳＣ信号におけるパスオーバーヘッドのＦ２バイトに対して、外部から受信されたユーザパケットを設定し、
前記受信側ＯＳＣ処理部は、前記ＷＤＭネットワークから受信されたＯＳＣ信号のＦ２バイトからユーザパケットを取得して外部装置へ送出することを特徴とする請求項２に記載の伝送装置。
【請求項６】
前記ＷＤＭ送出部と前記ＷＤＭ受信部とは、前記ＯＳＣ信号をＳＤＨフレームフォーマットで送受し、
当該伝送装置は、前記ＷＤＭネットワークを跨ったクロック同期のために、前記ＷＤＭネットワークに対して、同期用のクロック成分を含む信号を前記ＯＳＣ信号として送受し、当該ＯＳＣ信号に基づいて前記同期用のクロック成分を抽出させることを特徴とする請求項１に記載の伝送装置。
【請求項７】
前記ＷＤＭネットワークでの障害発生が検出された際、予備系のＷＤＭネットワークへ光信号を送出する予備系のＷＤＭ送出部と、
前記予備系のＷＤＭネットワークへ送出される光信号に付加されるべきＯＳＣ信号を設定する予備系の送出側ＯＳＣ処理部と、
をさらに備え、
前記スイッチ部は、前記ＷＤＭネットワークでの障害発生が検出された際、前記受信側ＯＳＣ処理部から送出されたＳＤＨフレームの転送先を、前記予備系の送出側ＯＳＣ処理部へ切り替える系切替部を含むことを特徴とする請求項１に記載の伝送装置。
【請求項８】
前記ＷＤＭネットワークでの障害発生が検出された際、予備系のＷＤＭネットワークから光信号を受信する予備系のＷＤＭ受信部と、
前記予備系のＷＤＭネットワークから受信された光信号に付加されたＯＳＣ信号を処理する予備系の受信側ＯＳＣ処理部と、
をさらに備え、
前記スイッチ部は、前記ＷＤＭネットワークでの障害発生が検出された際、前記送出側ＯＳＣ処理部へ送出すべきＳＤＨフレームの転送元を、前記予備系の受信側ＯＳＣ処理部へ切り替える系切替部を含むことを特徴とする請求項１に記載の伝送装置。
【請求項９】
ＷＤＭネットワークにおいて送受されるＯＳＣ信号を処理する装置であって、
当該装置は、所定のＳＤＨフレームを互いに送受する複数のＳＤＨ伝送部と、あるＳＤＨ伝送部から送出されたＳＤＨフレームを別のＳＤＨ伝送部へ受け渡すスイッチ部とを備える伝送装置に搭載されるものであり、
前記伝送装置に搭載された他のＯＳＣ信号を処理する装置との間で、前記スイッチ部を介して、ＯＳＣ信号が示す波長情報を送受できるように、前記伝送装置内のインタフェースをＳＤＨフレームフォーマットに準拠させたことを特徴とするＯＳＣ処理装置。
【請求項１０】
所定のＳＤＨフレームを互いに送受する複数のＳＤＨ伝送部と、あるＳＤＨ伝送部から送出されたＳＤＨフレームを別のＳＤＨ伝送部へ受け渡すスイッチ部とを備える伝送装置に、
ＷＤＭネットワークから光信号を受信するステップと、
受信された光信号に付加されたＯＳＣ信号について、当該ＯＳＣ信号が示す波長情報を含むＳＤＨフレームを前記スイッチ部に送出するステップと、
前記波長情報を含むＳＤＨフレームを前記スイッチ部から受け付け、前記波長情報に基づいて、送出される光信号に付加されるべきＯＳＣ信号を設定するステップと、
設定されたＯＳＣ信号が付加された光信号をＷＤＭネットワークへ送出するステップと、
を実行させることを特徴とする伝送制御方法。
【発明の詳細な説明】
【技術分野】
【０００１】
この発明は、データ通信技術に関し、特に、光通信ネットワークにおける伝送装置、伝送制御方法およびＯＳＣ（Optical Supervisory Channel）処理装置に関する。
【背景技術】
【０００２】
近年、光伝送装置の高実装密度化が進んでおり、ＳＯＮＥＴ／ＳＤＨ（Synchronous Optical NETwork/Synchronous Digital Hierarchy）装置とスイッチ装置とを統合したＭＳＰＰ（Multi Service Provisioning Platform）装置が提供されている（例えば、特許文献１参照）。
【０００３】
また近年、複数のＳＯＮＥＴ／ＳＤＨネットワークの光信号をＷＤＭ（Wavelength Division Multiplexing）技術により多重化して送信するＷＤＭ伝送装置が提供されている（例えば、特許文献２参照）。
【先行技術文献】
【特許文献】
【０００４】
【特許文献１】特開２００８−１７７９４１号公報
【特許文献２】特開２００６−３５２９１９号公報
【発明の概要】
【発明が解決しようとする課題】
【０００５】
光伝送装置の高実装密度化のさらなる進展を踏まえ、本発明者は、ＭＳＰＰ装置の機能とＷＤＭ装置の機能とを一元的に提供する伝送装置が今後普及していくと認識した。そして、その伝送装置を柔軟な実装態様が可能な構成とすることにより、ユーザの利便性を向上できると考えた。
【０００６】
本発明は、本発明者の上記着想に基づいてなされたものであり、その主たる目的は、ＭＳＰＰ装置の機能とＷＤＭ装置の機能とを一元的に提供する伝送装置について、その実装態様の柔軟性を確保する技術を提供することである。
【課題を解決するための手段】
【０００７】
上記課題を解決するために、本発明のある態様の伝送装置は、所定のＳＤＨフレームを互いに送受する複数のＳＤＨ伝送部と、あるＳＤＨ伝送部から送出されたＳＤＨフレームを別のＳＤＨ伝送部へ受け渡すスイッチ部と、ＷＤＭネットワークから光信号を受信するＷＤＭ受信部と、受信された光信号に付加されたＯＳＣ信号を処理する受信側ＯＳＣ処理部と、ＷＤＭネットワークへ光信号を送出するＷＤＭ送出部と、送出される光信号に付加されるべきＯＳＣ信号を設定する送出側ＯＳＣ処理部と、を備える。受信側ＯＳＣ処理部は、ＯＳＣ信号が示す波長情報を含むＳＤＨフレームをスイッチ部へ送出し、送出側ＯＳＣ処理部は、波長情報を含むＳＤＨフレームをスイッチ部から受け付け、波長情報に基づいてＯＳＣ信号を設定する。
【０００８】
「ＳＤＨフレーム」は、ＳＯＮＥＴ／ＳＤＨ伝送方式にて規定されたデータフレームであってもよく、ＳＴＭ−ｎ（synchronus transport module - n）形式に準拠した信号であってもよい。例えば、ＳＴＭ−１形式の光信号もしくは電気信号であってもよい。「スイッチ部」は、伝送装置の筐体に実装可能な機器との間でＳＤＨフレームにて通信するためのインタフェースがあらかじめ設定されていてもよい。
【０００９】
この態様によると、受信側ＯＳＣ処理部と送出側ＯＳＣ処理部間で、スイッチ部を介して波長情報が送受される。これにより、受信側ＯＳＣ処理部と送出側ＯＳＣ処理部とが専用線にて接続される場合と異なり、受信側ＯＳＣ処理部および送出側ＯＳＣ処理部の伝送装置における実装位置を柔軟に決定できるようになる。言い換えれば、伝送装置でＷＤＭ通信機能を追加する場合、その時点で未使用の任意位置のスロットに対して、ＯＳＣ信号を処理するための機器を設置することができる。また、一旦実装された受信側ＯＳＣ処理部および送出側ＯＳＣ処理部の実装位置の変更も容易になる。
【００１０】
ＷＤＭ送出部とＷＤＭ受信部とは、ＯＳＣ信号をＳＤＨフレームフォーマットで送受し、当該伝送装置は、ＷＤＭネットワークから受信されたＯＳＣ信号に設定されたオーバーヘッドバイトに基づいて、ＳＤＨ伝送方式にて提供されるサービスを、ＷＤＭネットワークを跨って提供してもよい。
【００１１】
「オーバーヘッドバイト」は、ＳＴＭ−ｎで規定されたセッションオーバーヘッドの情報でもよい。また、ＳＴＭ−ｎのペイロードを構成するＶＣ−ｎ（Virtual Container - n）フレームにおけるパスオーバーヘッドの情報でもよい。「ＳＤＨ伝送方式にて提供されるサービス」は、パスオーバーヘッドの所定項目、例えばパストレース（Ｊ１バイト）、パス誤り監視（Ｂ３バイト）、パスユーザチャネル（Ｆ２バイト）を使用して提供されるサービスであってもよい。また、セクションオーバーヘッドの所定項目、例えば中継セクションの誤り監視（Ｂ１バイト）、端局セクションの誤り監視（Ｂ２バイト）、同期状態メッセージ（Ｓ１バイト）を使用して提供されるサービスであってもよい。
【００１２】
この態様によると、ＷＤＭネットワークおよび伝送装置内部のいずれにおいても、ＯＳＣ信号の内容はＳＤＨフレームにて送受される。その結果、ＷＤＭネットワークを跨ったＯＳＣ信号の伝送において、オーバーヘッドバイトの設定情報は失われることなく維持される。したがって、ＳＯＮＥＴ／ＳＤＨネットワークにおいてオーバーヘッドバイトに基づき提供されるサービスを、ＷＤＭネットワークを跨って提供できる。例えば、第１のＳＯＮＥＴ／ＳＤＨネットワークと、ＷＤＭネットワークを介して第１のＳＯＮＥＴ／ＳＤＨネットワークと接続された第２のＳＯＮＥＴ／ＳＤＨネットワークとに亘って、オーバーヘッドバイトに基づくサービスを提供できる。
【００１３】
送出側ＯＳＣ処理部は、ＷＤＭネットワークへ送出されるＯＳＣ信号におけるパスオーバーヘッドのＪ１バイトを設定し、受信側ＯＳＣ処理部は、ＷＤＭネットワークを跨った導通確認のために、ＷＤＭネットワークから受信されたＯＳＣ信号のＪ１バイトの情報を外部へ出力してもよい。
【００１４】
出力先となる「外部」とは、ディスプレイ、ファイル、オーバーヘッドバイトの情報を比較するための他処理部や外部装置であってもよい。この態様によると、ＷＤＭネットワークを跨ってエンド・ツウ・エンドの、言い換えれば、パスの一端から他端までの導通確認を実現できる。
【００１５】
受信側ＯＳＣ処理部は、ＷＤＭネットワークを跨った伝送品質管理のために、ＷＤＭネットワークから受信されたＯＳＣ信号におけるパスオーバーヘッドのＢ３バイトの情報を外部へ出力してもよい。この態様によると、ＷＤＭネットワークを跨ってエンド・ツウ・エンドの伝送品質を確認可能となる。
【００１６】
送出側ＯＳＣ処理部は、ＷＤＭネットワークへ送出されるＯＳＣ信号におけるパスオーバーヘッドのＦ２バイトに対して、外部から受信されたユーザパケットを設定し、受信側ＯＳＣ処理部は、ＷＤＭネットワークから受信されたＯＳＣ信号のＦ２バイトからユーザパケットを取得して外部装置へ送出してもよい。
【００１７】
この態様によると、ＷＤＭネットワークを跨ってエンド・ツウ・エンドでのユーザパケットの転送が実現される。ユーザパケットとは、ＰＣやＩＰ電話等のユーザ端末から送信されたパケットであり、ＭＡＣ（Media Access Control）フレームでもよく、ＩＰパケットでもよい。言い換えれば、この態様によると、ＯＳＣ信号をＭＳＰＰのオーダー・ワイヤ・パス（Order wire path）、ユーザ・チャネル・パス（User channel path）とすることができる。また、この態様によれば、伝送装置内でユーザパケットを伝送するためにこれまで必要であったパケット中継装置、例えばレイヤ２スイッチを設ける必要がない。
【００１８】
ＷＤＭ送出部とＷＤＭ受信部とは、ＯＳＣ信号をＳＤＨフレームフォーマットで送受し、当該伝送装置は、ＷＤＭネットワークを跨ったクロック同期のために、ＷＤＭネットワークに対して、同期用のクロック成分を含む信号をＯＳＣ信号として送受し、当該ＯＳＣ信号に基づいて同期用のクロック成分を抽出させてもよい。
【００１９】
「同期用のクロック成分を含む信号」は、同期すべき基準周波数が設定された、言い換えれば基準周波数に基づき算出される波長が設定された信号であってもよい。この態様によれば、ＷＤＭネットワークを跨って送受されるＯＳＣ信号を、ＭＳＰＰのクロックパス（Clock path）として使用できる。具体的には、ＷＤＭネットワークを介して接続された複数の伝送装置、例えば各伝送装置のＳＤＨ伝送部は、ＯＳＣ信号が送受されることにより、１つのクロック源に基づく基準クロックに対して従属同期ができる。したがって、クロック源の必要数を低減でき、ネットワークコストを低減できる。
【００２０】
ＷＤＭネットワークでの障害発生が検出された際、予備系のＷＤＭネットワークへ光信号を送出する予備系のＷＤＭ送出部と、予備系のＷＤＭネットワークへ送出される光信号に付加されるべきＯＳＣ信号を設定する予備系の送出側ＯＳＣ処理部と、をさらに備えてもよい。スイッチ部は、ＷＤＭネットワークでの障害発生が検出された際、受信側ＯＳＣ処理部から送出されたＳＤＨフレームの転送先を、予備系の送出側ＯＳＣ処理部へ切り替える系切替部を含んでもよい。
【００２１】
この態様によると、受信側ＯＳＣ処理部と送出側ＯＳＣ処理部とが専用線にて接続された場合と異なり、波長情報の転送経路がスイッチ部において動的に変更される。したがって、現用系の障害に応じた予備系への切替が迅速かつ容易に実現される。
【００２２】
ＷＤＭネットワークでの障害発生が検出された際、予備系のＷＤＭネットワークから光信号を受信する予備系のＷＤＭ受信部と、予備系のＷＤＭネットワークから受信された光信号に付加されたＯＳＣ信号を処理する予備系の受信側ＯＳＣ処理部と、をさらに備えてもよい。スイッチ部は、ＷＤＭネットワークでの障害発生が検出された際、送出側ＯＳＣ処理部へ送出すべきＳＤＨフレームの転送元を、予備系の受信側ＯＳＣ処理部へ切り替える系切替部を含んでもよい。この態様においても上記と同様に、波長情報の転送経路がスイッチ部において動的に変更されるため、現用系の障害に応じた予備系への切替が迅速かつ容易に実現される。
【００２３】
本発明の別の態様は、ＯＳＣ処理装置である。この装置は、ＷＤＭネットワークにおいて送受されるＯＳＣ信号を処理する装置であって、当該装置は、所定のＳＤＨフレームを互いに送受する複数のＳＤＨ伝送部と、あるＳＤＨ伝送部から送出されたＳＤＨフレームを別のＳＤＨ伝送部へ受け渡すスイッチ部とを備える伝送装置に搭載されるものであり、伝送装置に搭載された他のＯＳＣ信号を処理する装置との間で、スイッチ部を介して、ＯＳＣ信号が示す波長情報を送受できるように、伝送装置内のインタフェースをＳＤＨフレームフォーマットに準拠させた。この態様によると、上記効果を奏する伝送装置を実現するためのＯＳＣ処理装置を提供できる。
【００２４】
本発明のさらに別の態様は、伝送制御方法である。この方法は、所定のＳＤＨフレームを互いに送受する複数のＳＤＨ伝送部と、あるＳＤＨ伝送部から送出されたＳＤＨフレームを別のＳＤＨ伝送部へ受け渡すスイッチ部とを備える伝送装置に、ＷＤＭネットワークから光信号を受信するステップと、受信された光信号に付加されたＯＳＣ信号について、当該ＯＳＣ信号が示す波長情報を含むＳＤＨフレームをスイッチ部に送出するステップと、波長情報を含むＳＤＨフレームをスイッチ部から受け付け、波長情報に基づいて、送出される光信号に付加されるべきＯＳＣ信号を設定するステップと、設定されたＯＳＣ信号が付加された光信号をＷＤＭネットワークへ送出するステップと、を実行させる。この態様によると、上記効果を奏する伝送装置を実現できる。
【００２５】
なお、以上の構成要素の任意の組合せ、本発明の表現を装置、方法、システム、プログラム、プログラムを格納した記録媒体などの間で変換したものもまた、本発明の態様として有効である。
【発明の効果】
【００２６】
本発明によれば、ＭＳＰＰ装置の機能とＷＤＭ装置の機能とを一元的に提供する伝送装置について、その実装態様の柔軟性を確保しやすくなる。
【図面の簡単な説明】
【００２７】
【図１】従来の伝送システムの構成を示す図である。
【図２】図１のＷＤＭ伝送装置の機能構成を示すブロック図である。
【図３】図１の統合伝送装置の機能構成を示すブロック図である。
【図４】本発明の実施の形態である伝送システムの構成を示す図である。
【図５】図４の統合伝送装置の構成を示すブロック図である。
【図６】図５のＯＳＣ処理部の詳細な構成を示すブロック図である。
【図７】ＷＤＭネットワークの追加に対応した統合伝送装置のブロック図である。
【図８】第２の動作例の模式図である。
【図９】第３の動作例の模式図である。
【図１０】第４の動作例の模式図である。
【図１１】第４の動作例を実現するための従来構成を示す模式図である。
【図１２】第５の動作例の模式図である。
【図１３】変形例における系切替処理を模式的に示す図である。
【発明を実施するための形態】
【００２８】
図１は、従来の伝送システムの構成を示す。この伝送システムでは、リング構成のＷＤＭネットワーク１０に複数のＷＤＭ伝送装置１２が接続され、各ＷＤＭ伝送装置１２にはＭＳＰＰ装置１４が接続されている。典型的には、あるＭＳＰＰ装置１４の配下のユーザ端末から送出されたデータは、ＷＤＭ伝送装置１２およびＷＤＭネットワーク１０を介して、目的とするユーザ端末を収容するＭＳＰＰ装置１４まで伝送される。
【００２９】
なお、本実施の形態においては、特に断らない場合、光信号と電気信号とを区別しない。単に「信号」と表記した場合、光信号と電気信号とのどちらの信号であってもよく、必要に応じて、Ｏ／Ｅ変換もしくはＥ／Ｏ変換が適宜実行されてよい。
【００３０】
図２は、図１のＷＤＭ伝送装置１２の機能構成を示すブロック図である。本明細書のブロック図において示される各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００３１】
ＷＤＭ伝送装置１２は、Ｅ−ＷＤＭ伝送部２０ａと、Ｗ−ＷＤＭ伝送部２０ｂと、Ｅ−ＯＳＣ処理部２６ａと、Ｗ−ＯＳＣ処理部２６ｂとを備える。
【００３２】
Ｅ−ＷＤＭ伝送部２０ａは、ＷＤＭネットワーク１０の１つの方向（以下、「ＥＡＳＴ方向」とも呼ぶ。）に対して、ＷＤＭにより多重化された光信号（以下、「ＷＤＭ信号」とも呼ぶ。）を送受する。Ｅ−ＷＤＭ伝送部２０ａは、Ｅ−ＷＤＭ受信部２２ａと、Ｅ−ＷＤＭ送出部２４ａとを有する。
【００３３】
Ｗ−ＷＤＭ伝送部２０ｂは、ＷＤＭネットワーク１０のＥＡＳＴ方向とは逆方向（以下、「ＷＥＳＴ方向」とも呼ぶ。）へＷＤＭ信号を送受する。Ｗ−ＷＤＭ伝送部２０ｂは、Ｗ−ＷＤＭ受信部２２ｂと、Ｗ−ＷＤＭ送出部２４ｂとを有する。なお、本実施の形態のＷＤＭ信号について、個々の波長の光信号はＳＴＭ−ｎフレームフォーマットに準拠する。
【００３４】
ＷＤＭ信号における１つの波長の光信号は、その光信号の制御・監視等に使用されるＯＳＣ信号である。このＯＳＣ信号には、ＷＤＭ信号において多重化された光信号それぞれの波長の情報（以下、単に「波長情報」とも呼ぶ。）が含まれる。なお、図１には図示しないアンプの状態を示す情報が含まれてもよい。また、他の波長の光信号は、ＭＳＰＰ装置１４へドロップされるべき、あるいは、他のＷＤＭ伝送装置１２へ転送されるべきデータ本体を示す光信号（以下、「データ信号」とも呼ぶ。）である。
【００３５】
本実施の形態のデータ信号は、他のＷＤＭ伝送装置１２へ転送されるべき光信号であることとする。したがって、Ｅ−ＷＤＭ受信部２２ａは、ＷＤＭネットワーク１０のＥＡＳＴ方向からＷＤＭ信号を受信して、そのＷＤＭ信号におけるデータ信号をＷ−ＷＤＭ送出部２４ｂへ送出する。Ｗ−ＷＤＭ受信部２２ｂは、ＷＤＭネットワーク１０のＷＥＳＴ方向からＷＤＭ信号を受信して、そのＷＤＭ信号におけるデータ信号をＥ−ＷＤＭ送出部２４ａへ送出する。
【００３６】
Ｅ−ＯＳＣ処理部２６ａは、Ｅ−ＷＤＭ受信部２２ａにおいて受信されたＷＤＭ信号について、そのＷＤＭ信号におけるＯＳＣ信号が示す波長情報をＷ−ＯＳＣ処理部２６ｂへ送出する。また、Ｗ−ＯＳＣ処理部２６ｂから受け付けた波長情報に基づきＯＳＣ信号を設定してＥ−ＷＤＭ送出部２４ａへ送出する。
Ｗ−ＯＳＣ処理部２６ｂは、Ｗ−ＷＤＭ受信部２２ｂにおいて受信されたＷＤＭ信号について、そのＷＤＭ信号におけるＯＳＣ信号が示す波長情報をＥ−ＯＳＣ処理部２６ａへ送出する。また、Ｅ−ＯＳＣ処理部２６ａから受け付けた波長情報に基づきＯＳＣ信号を設定してＷ−ＷＤＭ送出部２４ｂへ送出する。
【００３７】
このＥ−ＯＳＣ処理部２６ａとＷ−ＯＳＣ処理部２６ｂとは、バックワイヤードボード（ＢＷＢ）で固定的に接続される。言い換えれば、ＷＤＭ伝送装置１２の筐体にあらかじめ設定された専用線によって接続される。したがって、ＷＤＭ伝送装置１２の筐体において、Ｅ−ＯＳＣ処理部２６ａのハードウェアと、Ｗ−ＯＳＣ処理部２６ｂのハードウェアとはあらかじめ定められた位置に設置される必要がある。また、Ｅ−ＯＳＣ処理部２６ａとＷ−ＯＳＣ処理部２６ｂとの間では、独自形式の信号により波長情報が送受される。
【００３８】
Ｅ−ＷＤＭ送出部２４ａは、Ｗ−ＷＤＭ受信部２２ｂから受け付けられたデータ信号と、Ｅ−ＯＳＣ処理部２６ａから受け付けられたＯＳＣ信号とを合波したＷＤＭ信号を、ＷＤＭネットワーク１０のＥＡＳＴ方向へ送出する。
Ｗ−ＷＤＭ送出部２４ｂは、Ｅ−ＷＤＭ受信部２２ａから受け付けられたデータ信号と、Ｗ−ＯＳＣ処理部２６ｂから受け付けられたＯＳＣ信号とを合波したＷＤＭ信号を、ＷＤＭネットワーク１０のＷＥＳＴ方向へ送出する。
【００３９】
なお、Ｅ−ＷＤＭ伝送部２０ａとＷ−ＷＤＭ伝送部２０ｂ間には、一般的なＷＤＭ伝送装置が備える各種機能ブロックがさらに含まれてもよいのはもちろんである。例えば、ＷＤＭ伝送装置１２は、ＥＡＳＴ方向から受信されたデータ信号、ＥＡＳＴ方向へ送出されるデータ信号、ＷＥＳＴ方向から受信されたデータ信号、ＷＥＳＴ方向へ送出されるデータ信号のそれぞれをＥＤＦＡ増幅するアンプ部をさらに備えてもよい。
【００４０】
また、ＷＤＭ伝送装置１２は、データ信号を分波してＭＳＰＰ装置１４へ送出すべき個々の光信号を取り出す分波部や、個々の光信号をＭＳＰＰ装置１４へ送出するドロップ部をさらに備えてもよい。さらにまた、ＭＳＰＰ装置１４から光信号を受け付けるアッド部、ＭＳＰＰ装置１４から受け付けられた光信号を含む個々の光信号を合波して、ＷＤＭネットワーク１０へ送出すべきデータ信号を生成する合波部をさらに備えてもよい。
【００４１】
図３は、図１の統合伝送装置１６の機能構成を示すブロック図である。ＭＳＰＰ装置１４は、ＳＤＨ伝送部２８と、スイッチ部３０とを備える。
【００４２】
ＳＤＨ伝送部２８は、ＳＯＮＥＴ／ＳＤＨネットワークを形成するための伝送機能を提供する。ＳＤＨ伝送部２８は、ＷＤＭ伝送装置１２とのインタフェース機能を有し、ＷＤＭネットワーク１０を伝送されたデータ信号をＷＤＭ伝送装置１２から取得し、ＷＤＭネットワーク１０へ送出すべきデータをＷＤＭ伝送装置１２へ送出する。また、図示しない外部のレイヤ２スイッチやレイヤ３スイッチと接続され、図示しない外部のＬＡＮやＷＡＮとの間でデータを送受する。
【００４３】
スイッチ部３０は、いわゆるスイッチファブリック（Switch Fabric）やクロスコネクト（Cross Connect）の機能を提供する。例えば、あるＳＤＨ伝送部２８から送出されたＳＴＭ−ｎ形式に準拠した信号を受け付けて、その伝送経路を選択する。そして、その信号を別のＳＤＨ伝送部２８へ伝送する等のスイッチ機能を提供する。
【００４４】
なお、本実施の形態では、以下、ＳＴＭ−ｎ形式に準拠した信号として、ＳＴＭ−１形式に準拠した信号（以下、「ＳＴＭ−１フレーム」とも呼ぶ。）が使用されることとする。変形例として、ＳＴＭ−４、ＳＴＭ−１６、ＳＴＭ−６４等、その他のＳＴＭ−ｎ形式に準拠した信号が使用されてもよいことは当業者には理解されるところである。
【００４５】
図４は、本発明の実施の形態である伝送システム１００の構成を示す。伝送システム１００では、複数の統合伝送装置１６がＷＤＭネットワーク１０を介して相互に接続される。統合伝送装置１６は、図１のＷＤＭ伝送装置１２の機能とＭＳＰＰ装置１４の機能とを一元的に提供する伝送装置である。
【００４６】
ここで、ＷＤＭ伝送装置１２の機能とＭＳＰＰ装置１４の機能とを一元的に提供する伝送装置について、本発明者が認識した実装上の課題を説明する。
【００４７】
この伝送装置を実装する際には、図２および図３で説明した各機能ブロックの機能を提供する複数種のハードウェア（各機能ブロックの機能を提供するソフトウェアが実行されるハードウェアを含む）が伝送装置の筐体に設置されることになる。既述したように、従来のＷＤＭ伝送装置１２において、Ｅ−ＯＳＣ処理部２６ａとＷ−ＯＳＣ処理部２６ｂとは専用線接続であり、それらの設置位置はあらかじめ定められている。したがって、当初はＭＳＰＰ装置１４としてのみ使用する場合であっても、Ｅ−ＯＳＣ処理部２６ａとＷ−ＯＳＣ処理部２６ｂとが設置されるべき筐体領域（いわゆるスロット）は未使用のまま空けておく必要がある。これは、伝送装置の高密度実装化を妨げる要因となり、そのコストパフォーマンスを低減させる要因となる。
【００４８】
本実施の形態の統合伝送装置１６は、この課題を解決するための構成を有する。すなわち、統合伝送装置１６においては、Ｅ−ＯＳＣ処理部とＷ−ＯＳＣ処理部との通信インタフェースをＳＴＭ−１フレームフォーマットに準拠させる。これにより、統合伝送装置１６では、ＯＳＣ処理装置間において、スイッチ部３０を介して波長情報が送受される。スイッチ部３０は統合伝送装置１６に搭載された各機器とのインタフェースを有するため、統合伝送装置１６においては、Ｅ−ＯＳＣ処理部およびＷ−ＯＳＣ処理部の設置位置の制約が解消される。言い換えれば、統合伝送装置１６の筐体における空きスロット状況に応じて、Ｅ−ＯＳＣ処理部およびＷ−ＯＳＣ処理部の設置位置を柔軟に決定できる。
【００４９】
また、上記構成によれば、ＷＤＭネットワーク１０を跨って統合伝送装置１６間で送受されるＯＳＣ信号、および、統合伝送装置１６内部のＯＳＣ処理部間で送受される波長情報のいずれもがＳＴＭ−１フレームにより伝送される。これにより、ＷＤＭネットワーク１０を跨って接続された複数の統合伝送装置１６の間において、ＳＴＭ−１で規定されたオーバーヘッドバイトの情報、例えばセクションオーバーヘッドおよびパスオーバーヘッドの各バイト値は失われることなく伝送される。したがって、伝送システム１００は、ＳＯＮＥＴ／ＳＤＨ伝送方式で提供されていたオーバーヘッドバイトに基づく各種サービスを、ＷＤＭネットワーク１０を跨って提供できる。
【００５０】
図５は、図４の統合伝送装置１６の構成を示すブロック図である。統合伝送装置１６は、Ｅ−ＷＤＭ伝送部２０ａと、Ｗ−ＷＤＭ伝送部２０ｂと、複数のＳＤＨ伝送部２８と、スイッチ部３０と、ＯＳＣ処理部３２で総称されるＥ−ＯＳＣ処理部３２ａおよびＷ−ＯＳＣ処理部３２ｂとを備える。Ｅ−ＯＳＣ処理部３２ａと、Ｗ−ＯＳＣ処理部３２ｂとは、ＯＳＣ信号が示す波長情報を含むＳＴＭ−１フレームを、スイッチ部３０を介して相互に送受する。
【００５１】
図５で示す機能ブロックのうち、ＷＤＭ伝送装置１２およびＭＳＰＰ装置１４の機能ブロックと同じ機能を提供するものについては、図２および図３と同様の符号を付している。以下では、ＯＳＣ処理部３２の構成を詳細に説明するとともに、その他の機能ブロックに関する詳細な説明は、繰り返しになるため省略する。
【００５２】
図６は、図５のＥ−ＯＳＣ処理部３２ａの詳細な構成を示すブロック図である。Ｅ−ＯＳＣ処理部３２ａは、Ｅ−ＷＤＭ受信部２２ａで受信されたＯＳＣ信号を処理する受信側ＯＳＣ処理部３４と、Ｅ−ＷＤＭ送出部２４ａへ送出すべきＯＳＣ信号を設定する送出側ＯＳＣ処理部３６とを有する。
【００５３】
なお、図５のＷ−ＯＳＣ処理部３２ｂの構成は、以下詳述するＥ−ＯＳＣ処理部３２ａの構成と同様である。ただし、受信側ＯＳＣ処理部３４が処理対象とするＯＳＣ信号の受信元はＷ−ＷＤＭ受信部２２ｂに置き換わる。また、送出側ＯＳＣ処理部３６が設定対象とするＯＳＣ信号の送出先はＷ−ＷＤＭ送出部２４ｂに置き換わる。
【００５４】
受信側ＯＳＣ処理部３４は、ＯＳＣ信号取得部４０と、波長情報送出部４２と、ＯＨ情報処理部４４と、ＭＡＣ送出部４６と、クロック通知部４８とを含む。
【００５５】
ＯＳＣ信号取得部４０は、ＷＤＭネットワーク１０から受信されたＷＤＭ信号におけるＯＳＣ信号を、Ｅ−ＷＤＭ受信部２２ａから取得する。波長情報送出部４２は、ＯＳＣ信号が示す波長情報を含むＳＴＭ−１フレームをスイッチ部３０へ送出する。その際に、ＯＳＣ信号に設定された各オーバーヘッドバイトのデータは、送出するＳＴＭ−１フレームの対応するオーバーヘッドバイトへ設定する。
【００５６】
ＯＨ情報処理部４４は、ＳＤＨ伝送方式においてオーバーヘッドバイトの情報に基づき提供される各種サービスを提供するために、ＯＳＣ信号のオーバーヘッドバイトの情報に基づく所定処理を実行する。この具体例は後述する。ＭＡＣ送出部４６は、ＯＨ情報処理部４４から出力されたＭＡＣフレームを所定の外部装置へ送出する。この外部装置は、ユーザにより操作されるＰＣ端末でもよく、ＬＡＮを構成するレイヤ２スイッチでもよい。
【００５７】
クロック通知部４８は、ＯＳＣ信号からクロック成分を抽出してＳＤＨ伝送部２８へ通知する。例えば、ＯＳＣ信号取得部４０において取得されたＯＳＣ信号のうち、所定範囲の波長を有するＯＳＣ信号はクロック同期用の信号と判定して、その信号の波長に基づいてクロック成分を抽出してもよい。
【００５８】
送出側ＯＳＣ処理部３６は、波長情報受信部５０と、ＭＡＣ受信部５２と、ＯＨ情報設定部５４と、クロック取得部５６と、ＯＳＣ信号設定部５８とを含む。波長情報受信部５０は、Ｗ−ＯＳＣ処理部３２ｂの波長情報送出部４２がスイッチ部３０へ送出した波長情報を含むＳＴＭ−１フレームをスイッチ部３０から受信する。そして、その波長情報をＯＳＣ信号設定部５８へ通知する。
【００５９】
ＭＡＣ受信部５２は、所定の外部装置から送出されたＭＡＣフレームを受信してＯＨ情報設定部５４へ通知する。ＯＨ情報設定部５４は、Ｅ−ＷＤＭ送出部２４ａへ送出されるＯＳＣ信号のオーバーヘッドバイトを設定する。クロック取得部５６は、基準クロックを出力する外部のＢＩＴＳ（Building Integrated Timing Supply）からクロック信号を受け付けてそのクロック信号をＯＳＣ信号設定部５８へ送出する。
【００６０】
ＯＳＣ信号設定部５８は、波長情報受信部５０において受信された波長情報を含み、ＯＨ情報設定部５４において設定されたオーバーヘッドバイトを有するＯＳＣ信号を設定してＥ−ＷＤＭ送出部２４ａへ送出する。なお、自装置のＯＨ情報設定部５４においてオーバーヘッドバイトの設定がなされなければ、波長情報とともに波長情報受信部５０において受信されたオーバーヘッドバイトの情報をそのまま設定する。また、クロック取得部５６からクロック信号を受け付けた場合には、そのクロック信号が示す周波数に対応する波長の信号をＯＳＣ信号としてＥ−ＷＤＭ送出部２４ａへ送出する。
【００６１】
以上の構成による統合伝送装置１６の動作を以下説明する。
まず、基本的な動作として、ＷＤＭネットワーク１０のＥＡＳＴ方向から受け付けたＷＤＭ信号をＷＤＭネットワーク１０のＷＥＳＴ方向へ転送する第１の動作例を示す。
【００６２】
Ｅ−ＷＤＭ受信部２２ａは、ＷＤＭネットワーク１０のＥＡＳＴ方向からＷＤＭ信号を受信して、そのＷＤＭ信号におけるデータ信号をＷ−ＷＤＭ送出部２４ｂへ送出する。Ｅ−ＯＳＣ処理部３２ａは、ＷＤＭ信号におけるＯＳＣ信号をＥ−ＷＤＭ受信部２２ａから取得して、そのＯＳＣ信号が示す波長情報を含むＳＴＭ−１フレームをスイッチ部３０へ送出する。Ｗ−ＯＳＣ処理部３２ｂは、波長情報を含むＳＴＭ−１信号をスイッチ部３０から取得して、その波長情報に基づいてＯＳＣ信号を設定する。Ｗ−ＷＤＭ送出部２４ｂは、Ｅ−ＷＤＭ受信部２２ａから送出されたデータ信号と、Ｗ−ＯＳＣ処理部３２ｂから送出されたＯＳＣ信号とを合波したＷＤＭ信号を、ＷＤＭネットワーク１０のＷＥＳＴ方向へ送出する。
【００６３】
本実施の形態の統合伝送装置１６によれば、Ｅ−ＯＳＣ処理部３２ａおよびＷ−ＯＳＣ処理部３２ｂの通信インタフェースが、スイッチ部３０が中継可能なフレームフォーマットに準拠する。これにより、Ｅ−ＯＳＣ処理部３２ａとＷ−ＯＳＣ処理部３２ｂとを専用線接続する必要がなく、スイッチ部３０を介した相互接続が実現される。したがって、ＯＳＣ処理部３２のハードウェアを、統合伝送装置１６の所定位置のスロットに固定的に設置する必要がなく、統合伝送装置１６の実装態様の柔軟性が確保される。
【００６４】
図７は、ＷＤＭネットワークの追加に対応した統合伝送装置１６のブロック図である。同図の統合伝送装置１６は、既設の第１のＷＤＭネットワークとＷＤＭ信号を伝送する第１のＷＤＭ伝送部６０ａと、新設の第２のＷＤＭネットワークとＷＤＭ信号を伝送する第２のＷＤＭ伝送部６０ｂとを備える。このように、新たなＷＤＭネットワークが追加された場合であっても、既設の統合伝送装置１６の筐体に空きスロットがあれば、そのスロットに新たなＯＳＣ処理部３２を容易に実装できる。すなわち、統合伝送装置１６の構成によれば、ネットワークの状況変化に柔軟に対応できる。
【００６５】
次に、ＯＳＣ信号をパストレースのために用いて、ＷＤＭネットワーク１０を跨ったエンド・ツウ・エンドでの導通確認を実現する第２の動作例を説明する。
【００６６】
図８は、第２の動作例の模式図である。同図は、第１の統合伝送装置１６ａ、第２の統合伝送装置１６ｂ、第３の統合伝送装置１６ｃ、第４の統合伝送装置１６ｄがＷＤＭネットワーク１０を介して接続された伝送システムを示している。ここで、第１の統合伝送装置１６ａから第４の統合伝送装置１６ｄまでＯＳＣ信号が伝送される。
【００６７】
図８で示すように、第１の統合伝送装置１６ａにおいて、Ｗ−ＯＳＣ処理部３２ｂのＯＨ情報設定部５４が、ＯＳＣ信号におけるパスオーバーヘッドのＪ１バイトに対して、ユーザ端末等の外部装置から受け付けられた照合データを設定する。Ｗ−ＷＤＭ伝送部２０ｂのＷ−ＷＤＭ送出部２４ｂは、Ｊ１バイトが設定されたＯＳＣ信号を含むＷＤＭ信号をＷＤＭネットワーク１０へ送出する。
【００６８】
以降、第１の統合伝送装置１６ａと第２の統合伝送装置１６ｂ間、第２の統合伝送装置１６ｂと第３の統合伝送装置１６ｃ間、第３の統合伝送装置１６ｃと第４の統合伝送装置１６ｄ間は、ＯＳＣ信号がＳＴＭ−１フレームフォーマットで送受される。第２の統合伝送装置１６ｂ内、第３の統合伝送装置１６ｃ内においても、ＯＳＣ信号の情報がＳＴＭ−１フレームで転送される。したがって、ＷＤＭネットワーク１０の通信状態が正常であれば、パスオーバーヘッドのＪ１バイトは排除されることなく、第４の統合伝送装置１６ｄまで伝送されることになる。
【００６９】
第４の統合伝送装置１６ｄにおいて、Ｅ−ＯＳＣ処理部３２ａのＯＨ情報処理部４４は、ＯＳＣ信号取得部４０において取得されたＯＳＣ信号のＪ１バイトを検出して、そのＪ１バイトに設定された設定情報を外部へ通知する。例えば、第１の統合伝送装置１６ａで設定された照合情報を保持し、その照合情報と通知された設定情報とを比較して、異なる場合には所定装置に対してアラートを送出する導通確認部に対して設定情報を通知してもよい。別の例としては、Ｊ１バイトの照合情報と比較可能にするために、ディスプレイ等の出力メディアにＪ１バイトの設定情報を出力してもよい。
【００７０】
第２の動作例によれば、ＷＤＭネットワーク１０を跨って設定されるパスにおいて、パスの両端におけるＪ１バイトのデータを比較し、その異同を検出することにより、パスの導通確認が可能となる。典型的には、両端のデータが同じであれば正常に通信できていると判定でき、異なっていれば通信状態に異常があると判定できる。なお、ＯＳＣ信号は、あらかじめ定められた波長を使用するため、データ信号の波長が設定されない場合でも、それぞれの統合伝送装置間で検出可能である。したがって、伝送システム１００の建設時等、データ信号の設定が困難な状況において特に有効である。
【００７１】
次に、ＯＳＣ信号におけるパスオーバーヘッドのＢ３バイトを監視することにより、伝送品質管理を実現する第３の動作例を説明する。図９は、第３の動作例の模式図である。同図においても、第１の統合伝送装置１６ａから第４の統合伝送装置１６ｄまでＯＳＣ信号が伝送される。
【００７２】
図９で示すように、第２の統合伝送装置１６ｂ、第３の統合伝送装置１６ｃ、第４の統合伝送装置１６ｄそれぞれにおいて、Ｅ−ＯＳＣ処理部３２ａのＯＨ情報処理部４４が、ＯＳＣ信号取得部４０において取得されたＯＳＣ信号のＢ３バイトを検出する。そして、そのＢ３バイトのデータを外部へ通知する。例えば、伝送品質をユーザが確認可能なように、ファイルやディスプレイ等の出力メディアに対して、Ｂ３バイトのデータが示す伝送品質情報を出力してもよい。また、Ｂ３バイトが示す伝送品質が所定の基準値以下であるとき所定装置に対してアラートを送出する伝送品質判定部に対して、Ｂ３バイトのデータを通知してもよい。
【００７３】
第３の動作例によれば、ＷＤＭネットワーク１０を跨って設定されるパスの終端部におけるＢ３バイトのデータに基づき、エンド・ツウ・エンドの伝送品質管理が可能となる。図９では、第４の統合伝送装置１６ｄにおけるＢ３バイトが「Ｅｒｒｏｒ」を示すため、伝送品質が悪いと判定できる。また、ＯＳＣ信号を中継する統合伝送装置においてもＢ３バイトのデータが出力され、第３の統合伝送装置１６ｃ以降でＢ３バイトが「Ｅｒｒｏｒ」となるため、第２の統合伝送装置１６ｂ〜第３の統合伝送装置１６ｃ間で伝送品質が悪化していると判定できる。
【００７４】
変形例として、セクションオーバーヘッドのＢ１バイト、Ｂ２バイトもあわせて監視されてよく、Ｂ３バイトに加えて、Ｂ１バイト・Ｂ２バイトのデータも外部に出力されてもよい。これにより、Ｂ１バイト、Ｂ２バイト、Ｂ３バイトの組み合わせを伝送品質の判定基準とすることができ、パス内に設定される各セクションでの伝送品質が特定できるため、伝送品質が悪化している箇所を詳細に特定することができる。
【００７５】
次に、ＯＳＣ信号をユーザパケットの伝送手段、すなわちＭＳＰＰのオーダー・ワイヤ・パスまたはユーザ・チャネル・パスとして使用する第４の動作例を説明する。図１０は、第４の動作例の模式図である。同図においても、第１の統合伝送装置１６ａから第４の統合伝送装置１６ｄまでＯＳＣ信号が伝送される。
【００７６】
図１０で示すように、第１の統合伝送装置１６ａにおいて、Ｗ−ＯＳＣ処理部３２ｂのＭＡＣ受信部５２が、ＬＡＮを介して、ユーザ端末から送出されたＭＡＣフレームを受け付ける。そして、ＯＨ情報設定部５４は、ＯＳＣ信号におけるパスオーバーヘッドのＦ２バイトにそのＭＡＣフレームを設定する。Ｗ−ＷＤＭ伝送部２０ｂのＷ−ＷＤＭ送出部２４ｂは、Ｆ２バイトが設定されたＯＳＣ信号を含むＷＤＭ信号をＷＤＭネットワーク１０へ送出する。
【００７７】
既述したように、第１の統合伝送装置１６ａと第２の統合伝送装置１６ｂ間、第２の統合伝送装置１６ｂと第３の統合伝送装置１６ｃ間、第３の統合伝送装置１６ｃと第４の統合伝送装置１６ｄ間は、ＯＳＣ信号がＳＴＭ−１フレームフォーマットで送受される。第２の統合伝送装置１６ｂ内、第３の統合伝送装置１６ｃ内においてもＯＳＣ信号の情報がＳＴＭ−１フレームで転送される。したがって、パスオーバーヘッドのＦ２バイトは排除されることなく、第４の統合伝送装置１６ｄまで伝送される。
【００７８】
第４の統合伝送装置１６ｄにおいて、Ｅ−ＯＳＣ処理部３２ａのＯＨ情報処理部４４は、ＯＳＣ信号取得部４０において取得されたＯＳＣ信号のＦ２バイトを検出する。そして、ＭＡＣ送出部４６は、ＬＡＮを介して、そのＭＡＣフレームをユーザ端末へ送出する。
【００７９】
図１１は、第４の動作例を実現するための従来構成を示す模式図である。同図では、第１のＷＤＭ伝送装置１２ａから第４のＷＤＭ伝送装置１２ｄまでＯＳＣ信号が伝送される。従来のＷＤＭ伝送装置１２においては、Ｅ−ＯＳＣ処理部２６ａからＷ−ＯＳＣ処理部２６ｂへ独自形式のデータにより波長情報が通知され、Ｆ２バイトの情報を通知することはできなかった。そのため、Ｆ２バイトに設定されたＭＡＣフレームをＥ−ＯＳＣ処理部２６ａからＷ−ＯＳＣ処理部２６ｂへ通知するために、第２のＷＤＭ伝送装置１２ｂおよび第３のＷＤＭ伝送装置１２ｃの外部にレイヤ２スイッチが必要であった。したがって、システムコストの増大を招いていた。
【００８０】
本実施の形態の統合伝送装置１６によれば、Ｆ２バイトに設定されたＭＡＣフレームをエンド・ツウ・エンドでシームレスに伝送できる。そして、従来構成では必須であった外部のスイッチ装置が不要となり、システムコストが低減される。
【００８１】
次に、ＯＳＣ信号をクロック同期用のクロック信号として使用する第５の動作例を説明する。図１２は、第５の動作例の模式図である。同図においても、第１の統合伝送装置１６ａから第４の統合伝送装置１６ｄまでＯＳＣ信号が伝送される。
【００８２】
図１２で示すように、第１の統合伝送装置１６ａにおいて、Ｗ−ＯＳＣ処理部３２ｂのクロック取得部５６が、クロック源である外部のＢＩＴＳからクロック信号を受信する。ＯＳＣ信号設定部５８は、そのクロック信号に対応して算出された波長のＯＳＣ信号を設定する。そして、Ｗ−ＷＤＭ伝送部２０ｂのＷ−ＷＤＭ送出部２４ｂは、そのＯＳＣ信号を含むＷＤＭ信号をＷＤＭネットワーク１０へ送出する。なお、第１の統合伝送装置１６ａのＳＤＨ伝送部２８は、ＢＩＴＳからクロック信号を受け付けて、クロック同期を実行してよい。
【００８３】
第２の統合伝送装置１６ｂ、第３の統合伝送装置１６ｃ、第４の統合伝送装置１６ｄにおいて、Ｅ−ＯＳＣ処理部３２ａのＯＳＣ信号取得部４０は、所定波長のＯＳＣ信号をクロック信号として識別してクロック通知部４８へ通知する。クロック通知部４８は、クロック信号として受け付けられたＯＳＣ信号の波長にしたがってクロック信号を設定し、ＳＤＨ伝送部２８へ送出する。ＳＤＨ伝送部２８は、そのクロック信号にしたがってクロック同期を実行する。これにより、第１の統合伝送装置１６ａから第４の統合伝送装置１６ｄに亘る、ＷＤＭネットワーク１０を跨ったクロック同期が実現される。すなわち、伝送システム１００全体のＳＤＨ伝送部２８が、１つのクロック源から出力された基準クロックに同期することができる。
【００８４】
上記の第５の動作例では、第１の統合伝送装置１６ａと接続された１つのＢＩＴＳをクロック源としたクロック同期処理を示した。変形例として、伝送システム１００には複数のＢＩＴＳが設けられてよく、各ＢＩＴＳからのクロック信号がＯＳＣ信号として伝送システム１００を伝播してもよい。この場合、各ＢＩＴＳからのクロック信号を伝播するＯＳＣ信号について、そのセクションオーバーヘッドのＳ１バイトにはクロック品質を示す指標値が設定されてもよい。そして、各ＯＳＣ信号のＳ１バイトのデータにしたがって、クロック同期に使用されるクロック信号が選択されてもよい。
【００８５】
例えば、各ＢＩＴＳと接続された統合伝送装置１６のＯＨ情報設定部５４は、ＢＩＴＳからのクロック信号にしたがってＳ１バイトを設定してもよい。そして、それぞれの統合伝送装置１６におけるクロック通知部４８は、クロック信号を示す複数のＯＳＣ信号それぞれのＳ１バイトを参照して最も高品質なクロック信号を特定し、そのクロック信号をＳＤＨ伝送部２８へ通知してもよい。言い換えれば、ＷＤＭネットワーク１０を跨って設定される複数のクロックパスから、クロック同期に使用するクロックパスを選択する際に、Ｓ１バイトが示す品質が高いクロックパスほど優先して選択してもよい。また、Ｓ１バイトが示す品質の変動に応じて、選択するクロックパスを随時変更してもよい。
【００８６】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００８７】
変形例として、統合伝送装置１６は、現用系のＷＤＭネットワークとの間でＷＤＭ信号を送受する現用系伝送部６２ａと、予備系のＷＤＭネットワークとの間でＷＤＭ信号を送受する予備系伝送部６２ｂとを含んでもよい。現用系のＷＤＭネットワークの通信状態が正常である間は、現用系伝送部６２ａが動作する。また、スイッチ部３０は、ＷＤＭネットワーク１０の通信状態を監視して、その通信状態に応じて、ＳＴＭ−１フレームの転送元もしくは転送先を現用系伝送部６２ａから予備系伝送部６２ｂへ切り替えてもよい。
【００８８】
図１３は、変形例における系切替処理を模式的に示す。同図は、第１の統合伝送装置１６ａにおける現用系伝送部６２ａと、第２の統合伝送装置１６ｂにおける現用系伝送部６２ａとが現用系ＷＤＭネットワークを介して通信中に、その現用系ＷＤＭネットワークでの通信が不可になった状態を示している。
【００８９】
このとき、第１の統合伝送装置１６ａにおいて、スイッチ部３０の切替部６４は、現用系ＷＤＭネットワークでの通信不可状態を検出する。そして、現用系伝送部６２ａのＥ−ＯＳＣ処理部３２ａから送出されたＳＴＭ−１フレームの転送先を、現用系伝送部６２ａのＷ−ＯＳＣ処理部３２ｂから、予備系伝送部６２ｂのＷ−ＯＳＣ処理部３２ｂへ切り替える。これにより、ＷＤＭ信号は、予備系伝送部６２ｂのＷ−ＷＤＭ伝送部２０ｂから、予備系ＷＤＭネットワークへ送出される。なお、現用系伝送部６２ａにおけるＥ−ＷＤＭ伝送部２０ａが送出したデータ信号についても、予備系伝送部６２ｂにおけるＷ−ＷＤＭ伝送部２０ｂが受信するように適宜切り替えられる。
【００９０】
また、第２の統合伝送装置１６ｂにおいて、スイッチ部３０の切替部６４は、現用系ＷＤＭネットワークでの通信不可状態を検出する。そして、現用系伝送部６２ａのＷ−ＯＳＣ処理部３２ｂへ送出すべきＳＴＭ−１フレームの転送元を、現用系伝送部６２ａのＥ−ＯＳＣ処理部３２ａから、予備系伝送部６２ｂのＥ−ＯＳＣ処理部３２ａへ切り替える。これにより、予備系ＷＤＭネットワークへ送出されたＷＤＭ信号は、予備系伝送部６２ｂにおいて受け付けられることになる。
【００９１】
本変形例によれば、スイッチ部３０の経路切替え機能により、ＷＤＭネットワークの通信状態に応じて、ＯＳＣ信号および波長情報の伝送経路が切り替えられる。これにより、現用系のＷＤＭネットワークが通信不可状態となった場合にも、予備系のＷＤＭネットワークをバックアップ回線としたフェイルオーバーが容易かつ高速に実現される。
【００９２】
請求項に記載の各構成要件が果たすべき機能は、実施の形態および変形例において示された各構成要素の単体もしくはそれらの連携によって実現されることも当業者には理解されるところである。
【符号の説明】
【００９３】
１０  ＷＤＭネットワーク、  １６  統合伝送装置、  ２０ａ  Ｅ−ＷＤＭ伝送部、  ２０ｂ  Ｗ−ＷＤＭ伝送部、  ２８  ＳＤＨ伝送部、  ３０  スイッチ部、  ３２  ＯＳＣ処理部、  ３２ａ  Ｅ−ＯＳＣ処理部、  ３２ｂ  Ｗ−ＯＳＣ処理部、  ３４  受信側ＯＳＣ処理部、  ３６  送出側ＯＳＣ処理部、  ４０  ＯＳＣ信号取得部、  ４２  波長情報送出部、  ４４  ＯＨ情報処理部、  ４６  ＭＡＣ送出部、  ４８  クロック通知部、  ５０  波長情報受信部、  ５２  ＭＡＣ受信部、  ５４  ＯＨ情報設定部、  ５６  クロック取得部、  ５８  ＯＳＣ信号設定部、  ６４  切替部、  １００  伝送システム。
【図１】
2011019121.tif 000003
【図２】
2011019121.tif 000004
【図３】
2011019121.tif 000005
【図４】
2011019121.tif 000006
【図５】
2011019121.tif 000007
【図６】
2011019121.tif 000008
【図７】
2011019121.tif 000009
【図８】
2011019121.tif 000010
【図９】
2011019121.tif 000011
【図１０】
2011019121.tif 000012
【図１１】
2011019121.tif 000013
【図１２】
2011019121.tif 000014
【図１３】
2011019121.tif 000015